(57)【特許請求の範囲】
【請求項１】
屋根の上面に、複数の太陽電池モジュールを隣接して設置してなる太陽電池モジュール設置型屋根構造であって、
屋根の一部には、太陽電池モジュールに少なくとも上および左右の三方を囲まれるとともに、太陽電池モジュールを設けない部分が形成され、
この太陽電池モジュールを設けない部分の屋根には、同屋根の内外への人の出入りが可能な大きさの開口部が設けられ、
この開口部は、屋根の傾斜方向に交差する方向の寸法が、太陽電池モジュールの寸法を整数倍した値に設定され、
この開口部の左、右縁部には、該開口部に隣接して設置される太陽電池モジュールの縁部を支持するほぼ樋形状を呈するレールが、屋根の傾斜方向に沿って設けられており、
開口部の左右縁部には、開口部の左右縁部と前記レールとの間を覆うサイドカバーが設けられ、
開口部の上縁部には、上縁部を覆う屋根部と、隣接する太陽電池モジュールの下側の側面と前記屋根部との間を覆うレール面戸とが設けられ、
開口部の下縁部には、下縁部を覆う下側カバーが設けられていることを特徴とする太陽電池モジュール設置型屋根構造。
【請求項２】
開口部の下側に、人が乗ることが可能で、かつ人が開口部からの出入りを可能とする高さの位置に床を設け、
開口部から床に達し、かつこれらの開口部と床との間の周囲を囲む立設壁を設け、
この立設壁の一部に、人が通過可能な大きさの窓を設け、
開口部、立設壁及び床によって凹状の箱状に構成した部分に、防水処理を施していることを特徴とする請求項１記載の太陽電池モジュール設置型屋根構造。
【請求項３】
開口部には、屋根の傾斜方向における下側の縁に沿って、手すりが設けられていることを特徴とする請求項１又は請求項２記載の太陽電池モジュール設置型屋根構造。
【請求項４】
開口部には、屋根の傾斜方向における上側の縁に沿って、樋が設けられていることを特徴とする請求項１、請求項２又は請求項３記載の太陽電池モジュール設置型屋根構造。
【請求項５】
開口部は、屋根の傾斜方向の寸法を、太陽電池モジュールの寸法を整数倍した値に設定したことを特徴とする請求項１、請求項２、請求項３又は請求項４記載の太陽電池モジュール設置型屋根構造。
【発明の詳細な説明】
【０００１】
【発明の属する技術分野】
この発明は、屋根に、複数の太陽電池モジュールを隣接して設置してなる太陽電池モジュール設置型屋根構造に関するものであって、特に屋根からの人の出入りを可能にすることにより、太陽電池モジュールのメンテナンス性の向上等を図ることのできる太陽電池モジュール設置型屋根構造に関する。
【０００２】
【従来の技術】
太陽電池モジュールは、通常、屋根上に、複数のものを隣接させて設置することになる。このため、多数の太陽電池モジュールを設けた場合には、特に内方に位置する太陽電池モジュールのメンテナンスが非常に困難になるという問題がある。
【０００３】
また、太陽電池モジュールを屋根全体に敷き詰めるように設けた場合には、明かり取り用の天窓等を設けることができないという問題がある。
しかも、三階建ての家屋の場合には、屋根に脱出口を設けることが義務付けられる場合があるが、屋根全体に太陽電池モジュールが敷き詰められている場合には、屋根に脱出口を設けることができないという問題があった。
【０００４】
【発明が解決しようとする課題】
そこで、請求項１記載の発明は、太陽電池モジュールのメンテナンスを容易に行うことができ、かつ明かり取りや屋根からの脱出を可能にすることができるとともに、メンテナンスや脱出などをする部分の大きさや、外観の向上を図ることができ、さらに開口部の寸法を、太陽電池モジュールの寸法を整数倍した値に設定することで、容易に開口を形成することが可能となる太陽電池モジュール設置型屋根構造を提供することを目的としている。
請求項２記載の発明は、請求項１記載の発明の目的に加えて、より簡単に太陽電池モジュールのメンテナンスをすることができるとともに、より簡単かつ安全に屋根からの脱出を可能にするとともに、メンテナンスや脱出などをする部分からの風雨の浸入を防止することのできる太陽電池モジュール設置型屋根構造を提供することを目的としている。
【０００５】
請求項３記載の発明は、請求項１又は請求項２記載の発明の目的に加えて、メンテナンスや脱出時の人の安全性の確保を図ることのできる太陽電池モジュール設置型屋根構造を提供することを目的としている。
請求項４記載の発明は、請求項１、請求項２又は請求項３記載の発明の目的に加えて、メンテナンスや脱出などをする部分からの雨の浸入をより確実に防止することのできる太陽電池モジュール設置型屋根構造を提供することを目的としている。
【０００６】
請求項５記載の発明は、請求項１、請求項２、請求項３又は請求項４記載の発明の目的に加えて、開口部の寸法を、太陽電池モジュールの寸法を整数倍した値に設定することで、容易に開口を形成することのできる太陽電池モジュール設置型屋根構造を提供することを目的としている。
【０００７】
【課題を解決するための手段】
上記目的を達成するために、請求項１記載の発明は、屋根(1)の上面に、複数の太陽電池モジュール(6)を隣接して設置してなる太陽電池モジュール設置型屋根構造であって、屋根(1)の一部には、太陽電池モジュール(6)に少なくとも上および左右の三方を囲まれるとともに、太陽電池モジュール(6)を設けない部分が形成され、この太陽電池モジュール(6)を設けない部分の屋根(1)には、同屋根(1)の内外への人の出入りが可能な大きさの開口部(2)が設けられ、この開口部(2)は、屋根(1)の傾斜方向に交差する方向の寸法が、太陽電池モジュール(6)の寸法を整数倍した値に設定され、この開口部(2)の左、右縁部には、該開口部(2)に隣接して設置される太陽電池モジュール(6)の縁部を支持するほぼ樋形状を呈するレール(7)が、屋根(1)の傾斜方向に沿って設けられており、開口部(2)の左右縁部には、開口部(2)の左右縁部と前記レール(7)との間を覆うサイドカバー(214)が設けられ、開口部(2)の上縁部には、上縁部を覆う屋根部(232)と、隣接する太陽電池モジュール(6)の下側の側面と前記屋根部との間を覆うレール面戸(234)とが設けられ、開口部(2)の下縁部には、下縁部を覆う下側カバー(223)が設けられていることを特徴とする。
【０００８】
請求項２記載の発明は、請求項１記載の発明において、開口部(2)の下側に、人が乗ることが可能で、かつ人が開口部(2)からの出入りを可能とする高さの位置に床(3)を設け、開口部(2)から床に達し、かつこれらの開口部(2)と床(3)との間の周囲を囲む立設壁(4)を設け、この立設壁(4)の一部に、人が通過可能な大きさの窓(431)を設け、開口部(2)、立設壁(4)及び床によって凹状の箱状に構成した部分に、防水処理を施していることを特徴としている。
【０００９】
請求項３記載の発明は、請求項１又は請求項２記載の発明において、開口部(2)には、屋根(1)の傾斜方向における下側の縁に沿って、手すり(233C)が設けられていることを特徴としている。
請求項４記載の発明は、請求項１、請求項２又は請求項３記載の発明において、開口部(2)には、屋根(1)の傾斜方向における上側の縁に沿って、樋(235)が設けられていることを特徴としている。
【００１０】
請求項５記載の発明は、請求項１、請求項２、請求項３又は請求項４記載の発明において、開口部(2)は、屋根(1)の傾斜方向の寸法を、太陽電池モジュール(6)の寸法を整数倍した値に設定したことを特徴としている。
【００１１】
そして、上記のように構成された請求項１記載の発明においては、屋根(1)の一部には、太陽電池モジュール(6)に周囲を囲まれるとともに、太陽電池モジュール(6)を設けない部分を形成し、この太陽電池モジュール(6)を設けない部分の屋根(1)には、同屋根(1)の内外への人の出入りが可能な大きさの開口部(2)を設けているから、開口部(2)の近くにある太陽電池モジュール(6)については同開口部(2)から容易にメンテナンスを行うことができる。
【００１２】
また、作業者が開口部(2)から屋根の外側に出ることができるから、開口部(2)から離れた位置にある太陽電池モジュール(6)についても容易にメンテナンスを行うことができる。さらに、開口部(2)は明かり取りとしての機能や、屋根(1)からの脱出口としての機能を果たすことができるという利点がある。
また、開口部(2)の左、右縁部とレール(7)との間を覆うサイドカバー(214)が設けられ、開口部(2)の上縁部には、上縁部を覆う屋根部(232)と隣接する太陽電池モジュール(6)の下側の側面と屋根部との間を覆うレール面戸(234)とが設けられ、開口部(2)の下縁部には、下縁部を覆う下側カバー(223)が設けられているから、開口部(2)の大きさや、同開口部(2)の外観の向上を図ることができる。したがって、メンテナンスや脱出などをする部分の大きさや、屋根における美観の向上を図ることができる。
【００１３】
請求項２記載の発明においては、開口部(2)の下側に、人が乗ることが可能で、かつ人が開口部(2)からの出入りを可能にする高さの位置に床(3)が設けられているから、床(3)を台として、開口部(2)の近くの太陽電池モジュール(6)のメンテナンスをより簡単に行うことができる。また、床(3)を台として開口部(2)から屋根の外側に容易に出ることができるから、開口部(2)から離れた位置にある太陽電池モジュール(6)のメンテナンスも容易に行うことができ、より簡単かつ安全に、太陽電池モジュール(6)のメンテナンスを行うことができるとともに、屋根(1)から外に脱出することができ、開口部(2)から床に達し、かつこれらの開口部(2)と床との間の周囲を囲む立設壁(4)を設け、この立設壁(4)の一部に、人が通過可能な大きさの窓(431)を設けているから、雨や風が開口部(2)を介して内部に入って来るのを防止することができる。
【００１４】
したがって、メンテナンスや脱出などをする部分からの風雨の浸入を防止することができる。また、窓(431)から明かりを取り入れることができるという利点がある。加えて、開口部(2)、立設壁(4)及び床(3)によって凹状の箱状に構成した部分に、防水処理が施されているから、確実に、風雨の浸入を防止することができる。その他、請求項１記載の発明と同様の作用効果を奏する。
【００１５】
請求項３記載の発明においては、開口部(2)における下側の縁に沿って、手すり(233C)が設けられているから、メンテナンス時や脱出時の人の安全性の確保を図ることができる。その他、請求項１又は請求項２記載の発明と同様の作用効果を奏する。
請求項４記載の発明においては、開口部(2)における上側の縁に沿って、樋(235)が設けられているから、上方の太陽電池モジュール(6)から流れてきた雨水が開口部(2)の内部に入るをの防止することができる。
【００１６】
したがって、メンテナンスや脱出などをする部分からの雨の浸入をより確実に防止することができる。その他、請求項１、請求項２又は請求項３記載の発明と同様の作用効果を奏する。
【００１７】
請求項５記載の発明においては、開口部(2)は、屋根(1)の傾斜方向の寸法を、太陽電池モジュール(6)の寸法を整数倍した値に設定したことから、太陽電池モジュール(6)に囲まれた位置で、太陽電池モジュール(6)を設置しない部分を屋根(1)に形成することで、開口部(2)を形成する部分を確保することができる。
【００１８】
したがって、開口部(2)を形成する部分を確保するために、複雑な形状をした太陽電池モジュール(6)や他の太陽電池モジュール(6)と大きさの異なる太陽電池モジュール(6)を準備するを必要とせず、施工が容易となるとともに、太陽電池モジュール(6)大きさや形状の異なる太陽電池モジュール(6)を準備するコストを低減することができる。
【００１９】
【発明の実施の形態】
以下、この発明の実施の形態を実施例に基づき図１〜図９を参照して説明する。ただし、図１〜８は第１実施例、図９は第２実施例を示している。
まず、図１〜８を参照して、第１実施例を説明する。
この実施例で示す太陽電池モジュール設置型屋根構造は、図１及び図２に示すように、切妻の一方の屋根1のほぼ全体に、複数の太陽電池モジュール（ＰＶモジュール）6を上下左右に隣接して設置したものであり、これら複数の太陽電池モジュール6のうち、内方に位置する太陽電池モジュールを設けないで、この太陽電池モジュールを設けない位置の屋根1に、同屋根1の内外への人の出入りが可能な大きさの開口部2を設けたことを特徴としている。
【００２０】
各太陽電池モジュール6は、図６〜図８に示すように、例えばＰＶＢ（Ｐｏｌｙ Ｖｉｎｙｌ Ｂｕｔｙｌｏｌ）で封止されたアモルファスシリコン太陽電池モジュール61の周囲を長方形状のフレーム62で保持するように構成したものであり、例えば１ｍ×１ｍの寸法を備えている。
また、各太陽電池モジュール6は、図６〜図８に示すように、幅方向の両側に位置する支持フレーム62ａがダブルサイズレール7に保持されることにより、上下方向及び左右方向に密接して設けられている。
【００２１】
ダブルサイズレール7は、図５〜８に示すように、屋根1の構成要素としての垂木11の真上に位置するようにして複数のものが平行に配置されており、隣接する各太陽電池モジュール6の支持フレーム62ａを固定的に保持する底壁部7ａと、この底壁部7ａの左右に位置する一方及び他方の壁部7ｂ、7ｃとを備えている。
屋根1における太陽電池モジュール6を設けていない部分は、図１に示すように、上下及び左右に密接する太陽電池モジュール6のうちの中程の9枚のものに対応する部分である。すなわち、上記開口部2は、あるとすれば中程の9枚の太陽電池モジュール6に対応する屋根1の位置に設けられている。そして、上下方向で示せば、下から第一段目の太陽電池モジュール6Aと最上段の第5段目の太陽電池モジュール6Eを残した屋根1の位置に、開口部2が設けられている。
【００２２】
なお、上記の実施の形態では、開口部2の寸法は、太陽電池モジュール6の９枚分に対応する寸法に形成されているが、開口部2の寸法は、これに限られず、太陽電池モジュール6の整数枚分の寸法に形成したものであればよい。このように、開口部2の寸法を、太陽電池モジュール6の整数枚分の寸法に形成することで、屋根１のうち、太陽電池モジュール6の整数枚分に相当する範囲だけ、太陽電池モジュール6を設置しない部分を設けることにより、複雑な形状の太陽電池モジュール6を準備したり、他の太陽電池モジュール6と大きさの異なる太陽電池モジュール6を準備する必要がない。
【００２３】
屋根1は、例えば図8に示すように、斜め上下方向に沿って配置された複数の垂木11と、各垂木11を連結するようにして屋根1の下地を構成する野地板12と、この野地板12の上に設けられた防水テープ13と、この防水テープ13の上に設けられた塩化ビニル引きのいわゆる塩ビ鋼板14とを備えた構成になっている。なお、垂木11は、2枚重ね合わせたものが複数設けられている。また、屋根1には、開口部2に対応する位置に、穴15が形成されている。
【００２４】
開口部2は、図1に示すように、長方形状に形成されており、左右調整手段21、21、下側調整手段22及び上側調整手段23によって、各太陽電池モジュール6のフレーム62との調整が図られている。すなわち、各調整手段21、22、23は、太陽電池モジュール6の縁部を開口部2の縁部に調整するようになっている。また、上記穴15も、開口部2に対応するように長方形状に形成されている。
【００２５】
左右調整手段21については、左右対称に形成されているので、図５〜８に示すように、右側の部分のみを図示して説明する。この左右調整手段21は、仮に開口部2に太陽電池モジュール6があるとした場合の、この太陽電池モジュール6の支持フレーム62ａの機能及び開口部2の左右の縁部を構成する機能を有している。すなわち、左右調整手段21は、図６に示すように、野地板12上に、防水テープ13及び塩ビ鋼板14を介して固定された第1の角材211と、この第1の角材211上に固定された第2の角材212と、この第2の角材212上に固定された2枚の第3の角材213とを備えている。
【００２６】
第1の角材211は、屋根1に形成された穴15の左右の縁部15ａに沿って、第一段目の太陽電池モジュール6Aの位置から、第五段目の太陽電池モジュール6Eの位置まで延在している。すなわち、第１の角材211は、穴15の左右の縁部15ａに沿って延在するとともに、穴15の下側の縁部15ｂ（図３参照）の位置及び上側の縁部15ｃ（図４参照）の位置を超える長さのもので構成されており、屋根1における穴15の周囲を強化するようになっている。
【００２７】
第２の角材212は、第３の角材213の高さ方向の位置を調整することによって、下側の第３の角材213をダブルサイズレール7の一方の壁部7ｂの上端に当接させるようになっている。第3の角材213は、板状のものを二枚重ね合わせたもので構成されており、ダブルサイズレール7の一方の壁部7ｂの上端に当接して、同ダブルサイズレール7の一方の壁部7ｂ側を目隠しするようになっている。また、第２の角材212及び第３の角材213の長さは、第二段目〜第四段目までの太陽電池モジュール6B〜Dを上下に連結した際の、最下位置から最上位置までの長さに一致するように設定されている。さらに、上側の第３の角材213の上面の位置は、第2段目〜第4段目までの各太陽電池モジュール6B〜Dのフレーム62の上面の位置にほぼ一致するように設定されている。
【００２８】
また、第１の角材211、第２の角材212、第３の角材213は、図５、図７、図８に示すように、塩化ビニル引きの鋼板によって形成されたサイドカバー214によって覆われている。このサイドカバー214は、二枚の第3の角材213の外側の側面、第3の角材213の上面及び第3の角材213、第2の角材212並びに第1の角材211の内側の側面を覆うように形成されている。
そして、サイドカバー214は、図７に示すように、その上面部における上端部214ａが下側に向けて折り返されている。さらに、サイドカバー214には、その上面における上端部214ａの近傍位置に、シーリング部214ｂが設定されている。このシーリング部214ｂは、防水板8をシール接着剤によって、固定する位置となっている。
【００２９】
下側調整手段22は、図３に示すように、開口部2の下側に位置する垂木11の上端縁を連結する複数の角材221と、屋根1の塩ビ鋼板14上及び角材221上に設けられたスペーサ部材222と、複数の角材221から第一段目の太陽電池モジュール6Aの上端部にかけての全体を覆う下側カバー223とを備えている。角材221は、屋根1の勾配に沿うように五重に重ねられている。そして、最上部の角材221は断面が三角形状に形成されており、その断面三角形状の角材221における開口部2側の頂部が上述した穴15の下側の縁部15ｂになっている。スペーサ部材222は、長さの短い板状のもので構成されており、開口部2の下側の縁部に沿う方向に断続的に設けられている。
下側カバー223は、塩化ビニル張りの鋼板によって構成されたものであり、五重に重ねられた角材221の内側から、同角材221の最上部を囲み、さらにスペーサ部材222の上面に当接しながら屋根1に沿って下方に伸び、第一段目の太陽電池モジュール6Aの上端部の上面を覆うように形成されている。
【００３０】
そして、下側カバー223は、各角材221の内側に面する部分が片棟破見部223ａとなっており、各角材221の上面から第一段目の太陽電池モジュール6Aの上端部を覆う部分が雨の浸入を防止する屋根部223ｂになっている。さらに、片棟破見部223ａと屋根部223ｂとの境の角部が、手すり233ｃとなっている。また、屋根部223ｂと屋根1との間の空間は、各太陽電池モジュール6と屋根1との間の空間とつながっており、各太陽電池モジュール6等によって生じた熱気を棟側に流して排除する換気通路となっている。
【００３１】
上側調整手段23は、図６〜図８に示すように、屋根1の塩ビ鋼板14の傾斜方向の下端部にあって、穴15の上側の縁部15ｃからわずかに下方に伸びる軒先水切14ａと、左右の第１の角材211の内側の側面から塩ビ鋼板14の上面に沿うようにＬ字状に形成された捨て板水切231と、図７に示すように、左右の捨て板水切231及び塩ビ鋼板14上に載置される屋根部232と、この屋根部232の上端部に重なるようにして、載置される上側水切233と、図８に示すように、開口部2の上側に位置する第五段目の太陽電池モジュール6Eの下側を向く側面と屋根部232との間を覆うレール面戸234と、図4に示すように、軒先水切14ａの下方に位置する樋235とを備えている。
【００３２】
軒先水切14ａは、図6に示すように、屋根1の勾配よりさらに大きな勾配となるように、穴15の上側の縁部15ｃから下方に折り曲げられている。
レール面戸234は、図8に示すように、防水板8の下面から太陽電池モジュール6の下側の側面を覆いかつ屋根部232の上面に当接するようにＬ字状に折り曲げられたもので構成されている。また、捨て板水切231、屋根部232、上側水切233、レール面戸234は、塩化ビニル引きの鋼板によって構成されている。
【００３３】
樋235は、図４に示すように、塩化ビニル製のもので構成されており、この樋235に接続されたパイプ235ａが後述する床3の軒側に形成された溝3ａに達するように配管されている。
上述した開口部2の真下部には、図2に示すように、床3が構成されている。この床3は、小屋裏の床板101上に構成されたものであり、人が乗ることが可能で、かつ人が開口部2から出入りすることが可能な高さの位置に設けられている。この床3は、軒の方に向かうにしたがって徐々に低くなるように傾斜しており、その軒側の端部に水を集めて排出するための溝3ａが形成されている。
【００３４】
また、開口部2から床3に達し、かつこれらの開口部2と床3との間の周囲を囲むように、立設壁4が設けられている。立設壁4は、左右の壁部41と、下側の壁部42と、上側の壁部43とによって四角筒状に構成されている。左右の壁部41には、図６〜８に示すように、サイドカバー214の内側から床3に達するように、破見板411が設けられている。この破見板411は、左右の壁部41の防水を図るようになっている。また、この破見板411と同様の破見板が下側の壁部42や上側の壁部43にも設けられている。
【００３５】
上側の壁部43には、人が通過可能な大きさで、かつ明かり取りとなる窓431が設けられている。そして、開口部2、床3及び立設壁4によって凹状の箱状に構成された部分は、防水処理が施されたバルコニー状になっている。特に、床3及びこの床3と立設壁4との接続部の防水が確実になされている。また、床3の溝3ａに溜まった水は、図示しないパイプを通して屋外に排出されるようになっている。
【００３６】
上記のように構成された太陽電池モジュール設置型屋根構造においては、片側の屋根1のほぼ全面に設けた複数の太陽電池モジュール6のうちの中程の9つの太陽電池モジュールを設けないで、この太陽電池モジュールを設けない位置の屋根1に、同屋根1の内外への人の出入りを可能とする大きさの開口部2を設けているから、開口部2の近くにある太陽電池モジュール6については同開口部2から容易にメンテナンスを行うことができる。また、作業者が開口部2から外に出ることによって、開口部2から離れた位置の太陽電池モジュール6についても容易にメンテナンスを行うことができる。
【００３７】
さらに、開口部2は、窓431を介して明かり取りとして機能するとともに、屋根1からの脱出口として機能するという利点がある。しかも、開口部2の下側には人が乗ることが可能で、かつ人が開口部2からの出入りを可能にする高さ位置に床3が設けられているから、この床3を台として、開口部2の近くの太陽電池モジュール6のメンテナンスを容易に行うことができる。また、床3を台として開口部2から容易に出ることができるという利点がある。
【００３８】
そして、開口部2の下側が床3及び立設壁4によって凹状の箱状に形成されているから、雨や風が開口部2から小屋裏内等に浸入するのを防止することができる。しかも、この凹状の箱状に構成した部分に、防水処理を施しているから、特に雨の浸入をより確実に防止することのできる。さらに、開口部2における下側の縁に沿って、手すり223ｃが設けられているから、開口部2からの太陽電池モジュール6のメンテナンスを容易に行うことができるようになるとともに、開口部2からの脱出もより簡単に行うことができるようになる。したがって、太陽電池モジュール6のメンテナンスや屋根1への脱出がより安全になる。
【００３９】
また、開口部2における上側の縁に沿って、樋235が設けられているから、上方の太陽電池モジュール6から流れてきた雨水がそのまま開口部2内に入って飛び散るようなことがない。したがって、床3及び立設壁4によって凹状の箱状に形成されている部分からの雨の浸入をより確実に防止することができる。
またさらに、開口部2の周縁部に、左右調整手段21、下側調整手段22、上側調整手段23を設けているから、開口部2の大きさを調整することができるとともに、同開口部2の強度を向上させることができる。さらには、開口部2と各太陽電池モジュール6との境界部の外観の向上を図ることができる。
【００４０】
次ぎに、この発明の第２実施例を図９を参照して説明する。ただし、第1実施例の構成要素と共通する要素には同一の符号を付し、その説明を省略する。
この第２実施例が第１実施例と異なる点は、開口部2に最も近い位置の垂木11の構造が異なっている点である。すなわち、開口部2に最も近い位置の垂木11は、ダブルサイズレール7の中心に対して、開口部2の反対側に位置する一本のもののみとなっている。また、野地板12もダブルサイズレール7の中心位置まで延在するものとなっている。そして、ダブルサイズレール7の中心より開口部2側には、第１の強化型垂木111及び第２の強化型垂木112が重ね合わされた状態で垂木11に固定されている。
【００４１】
第１及び第２の強化型垂木111、112は、その上面が野地板12と面一状になっている。これらの第１及び第２の強化型垂木111、112の上面には、野地板12の上面に設けられた防水テープ13及び塩ビ鋼板14（図６参照）がそのまま設けられている。さらに、第１の強化型垂木111の上には、塩ビ鋼板14等を介して前述した第１の角材211、第２の角材212等が設けられており、第２の強化型垂木112の上面には、塩ビ鋼板14等を介してダブルサイズレール7の中心より開口部2側の部分が設置されている。
【００４２】
上記のように構成された太陽電池モジュール設置型屋根構造においては、第１の強化型垂木111の上側に第1の角材211等を設置し、第２の強化型垂木112の上側にダブルサイズレール7の片側半分の部分を設置するようになっているから、開口部2の強度の向上を図ることができる。その他、第１実施例と同様の作用効果を奏する。
【００４３】
なお、上記第１実施例及び第２実施例においては、下側カバー223の角部を手すり223ｃとして構成したが、この下側カバー223とは別体の例えば丸棒状のもので手すりを構成してもよい。
また、上記第１実施例及び第２実施例においては、手すり223Cの下方にも太陽電池モジュール6及び屋根1を配置したが、手すり223Cの下方には、太陽電池モジュール6及び屋根1を配置しなくてもよく、また、太陽電池モジュール6を配置しなくてもよい。
【００４４】
【発明の効果】
請求項１記載の発明においては、複数の太陽電池モジュールのうち、内方に位置する太陽電池モジュールを設けないで、この太陽電池モジュールを設けない位置の屋根に、同屋根の内外への人の出入りが可能な大きさの開口部を設けているから、開口部の近くにある太陽電池モジュールについては同開口部から容易にメンテナンスを行うことができる。また、作業者が開口部から屋根の外側に出ることができるから、開口部から離れた位置にある太陽電池モジュールについても容易にメンテナンスを行うことができる。
【００４５】
さらに、開口部は明かり取りとしての機能や、屋根からの脱出口としての機能を果たすことができるという利点がある。
また、開口部(2)の左、右縁部とレール(7)との間を覆うサイドカバー(214)が設けられ、開口部(2)の上縁部には、上縁部を覆う屋根部(232)と隣接する太陽電池モジュール(6)の下側の側面と屋根部との間を覆うレール面戸(234)とが設けられ、開口部(2)の下縁部には、下縁部を覆う下側カバー(223)が設けられているから、開口部(2)の大きさや、同開口部(2)の外観の向上を図ることができる。したがって、メンテナンスや脱出などをする部分の大きさや、屋根における美観の向上を図ることができる。
請求項２記載の発明においては、開口部の下側に、人が乗ることが可能で、かつ人が開口部からの出入りを可能にする高さの位置に床が設けられているから、床を台として、開口部の近くの太陽電池モジュールのメンテナンスをより簡単に行うことができる。また、床を台として開口部から屋根の外側に容易に出ることができるから、開口部から離れた位置にある太陽電池モジュールのメンテナンスも容易に行うことができる。したがって、請求項１記載の発明に比べて、より簡単かつ安全に、太陽電池モジュールのメンテナンスを行うことができるとともに、屋根から外に脱出することができる。
【００４６】
また、開口部から床に達し、かつこれらの開口部と床との間の周囲を囲む立設壁を設け、この立設壁の一部に、人が通過可能な大きさの窓を設けているから、雨や風が開口部を介して内部に入って来るのを防止することができる。したがって、メンテナンスや脱出などをする部分からの風雨の浸入を防止することができる。また、窓から明かりを取り入れることができるという利点がある。
【００４７】
また、開口部、立設壁及び床によって凹状の箱状に構成した部分に、防水処理が施されているから、請求項１記載の発明に比べて、より確実に、風雨の浸入を防止することができる。その他、請求項１記載の発明と同様の効果を奏する。
請求項３記載の発明においては、開口部における下側の縁に沿って、手すりが設けられているから、メンテナンス時や脱出時の人の安全性の確保を図ることができる。その他、請求項１又は請求項２記載の発明と同様の効果を奏する。
【００４８】
請求項４記載の発明においては、開口部における上側の縁に沿って、樋が設けられているから、上方の太陽電池モジュールから流れてきた雨水が開口部内に入るをの防止することができる。したがって、メンテナンスや脱出などをする部分からの雨の浸入をより確実に防止することができる。その他、請求項１、請求項２又は請求項３記載の発明と同様の効果を奏する。
【００４９】
【００５０】
請求項５記載の発明においては、開口部は、屋根の傾斜方向の寸法及び屋根の傾斜方向に交差する方向の寸法を、太陽電池モジュールの寸法を整数倍した値に設定したことから、太陽電池モジュールに囲まれた位置で、太陽電池モジュールを設置しない部分を屋根に形成することで、開口部を形成する部分を確保することができる。
【００５１】
したがって、開口部を形成する部分を確保するために、複雑な形状をした太陽電池モジュールや他の太陽電池モジュールと大きさの異なる太陽電池モジュールを準備するを必要とせず、施工が容易となるとともに、太陽電池モジュール大きさや形状の異なる太陽電池モジュールを準備するコストを低減することができる。
【図面の簡単な説明】
【図１】  この発明の第１実施例として示した太陽電池モジュール設置型屋根構造の平面図である。
【図２】  同太陽電池モジュール設置型屋根構造を示す図であって、図１のII−II線に沿う断面図である。
【図３】  同太陽電池モジュール設置型屋根構造を示す図であって、図１のIII−III線に沿う断面図である。
【図４】  同太陽電池モジュール設置型屋根構造を示す図であって、図１のIV−IV線に沿う断面図である。
【図５】  同太陽電池モジュール設置型屋根構造を示す図であって、図１のＶ−Ｖ線に沿う断面図である。
【図６】  同太陽電池モジュール設置型屋根構造を示す図であって、左右調整手段及び上側調整手段の内部を示す要部斜視図である。
【図７】  同太陽電池モジュール設置型屋根構造を示す図であって、左右調整手段及び上側調整手段の内部を示す要部斜視図である。
【図８】  同太陽電池モジュール設置型屋根構造を示す図であって、左右調整手段及び上側調整手段の外観を示す要部斜視図である。
【図９】  この発明の第２実施例として示した太陽電池モジュール設置型屋根構造の断面図である。
【符号の説明】
1…屋根、2…開口部、21…左右調整手段、22…下側調整手段、223C…手すり、23…上側調整手段、235…樋、3…床、4…立設壁、6…太陽電池モジュール。
【図１】
0003863642.tif 000002
【図２】
0003863642.tif 000003
【図３】
0003863642.tif 000004
【図４】
0003863642.tif 000005
【図５】
0003863642.tif 000006
【図６】
0003863642.tif 000007
【図７】
0003863642.tif 000008
【図８】
0003863642.tif 000009
【図９】
0003863642.tif 000010